(57)【特許請求の範囲】
【請求項１】
止水装置用バッグ主体の取付口部に接続した可撓性を有するホース内にロープを遊挿し、該ロープの両端部にホースの両端部に係止可能なストッパーを設け、該ストッパーに気道を設けたことを特徴とする止水装置用バッグ。
【請求項２】
ストッパーを、ホース内径より大径な円筒状のストッパー本体と、ストッパー本体とホース間に設けた座金とし、座金に、孔部より外周に至る気道を設けたことを特徴とする請求項１記載の止水装置用バッグ。
【請求項３】
ホース両端部にスリーブを挿嵌し、該スリーブのホースからの突出端部に内径がストッパーの外径より大きい筒状のガイド部を設け、該ガイド部にストッパーを収容可能にしたことを特徴とする請求項１又は２記載の止水装置用バッグ。
【請求項４】
バッグ主体内のロープの先端側をカバーで被覆すると共に、該カバーをホースの一端側に固定し、前記カバーにストッパーの気道とバッグ主体内を連通させる空気抜孔を設けたことを特徴とする請求項１、２又は３記載の止水装置用バッグ。
【請求項５】
ホースにコイルスプリングを配設したことを特徴とする請求項１、２、３又４記載の止水装置用バッグ。
【発明の詳細な説明】
【０００１】
【発明の属する技術分野】
本発明は、主として水道用管路の管内流体を一時的に遮断する止水装置に使用する止水装置用バッグに関する。
【０００２】
【従来の技術】
従来、止水装置及びそのバッグは、先に本件発明者等が提案した特開平３ー１７７６９７号、実開平４ー２２６９１号、実開平６ー１２８９６号及び実開平７ー３８８９１号が存在する。
【０００３】
【発明が解決しようとする課題】
ところが、上記のバッグは以下に述べる様な問題を有していた。
即ち、図１４は上記バッグの使用状態を示すもので、管路の管Ａに取付けた止水装置Ｂ内から、管Ａに穿設したバッグ挿通用孔Ｃを通して管Ａに収縮状態にあるバッグＤを配設し、バッグＤに連結したゴム製ホースＥから空気又は水をバッグＤ内に送入してバッグＤを膨張させて行くと、管Ａ内を流れている水の圧力によるバッグＤの水流抵抗が増大して管Ａの下流側に強く押され、このためホースＥが強い曲げ力を受けて図示の様に、ホースＥの先端部に設けた口金Ｆとの境界部分Ｇで急激な曲がりが生じて損傷したり、水圧による強い引張力でホースＥが切断される等の問題を生じていた。
【０００４】
【課題を解決するための手段】
本発明は、上記従来技術に基づく、ホースが接続された止水装置用バッグで、管内流体を確実に遮断することが困難な課題に鑑み、止水装置用バッグ主体の取付口部に接続した可撓性を有するホース内にロープを遊挿し、該ロープの両端部にホースの両端部に係止可能なストッパーを設け、該ストッパーに気道を設けることによって、ホースの一端から他端に至る気道を確保しつつ、管内の水圧による強い引張力をロープで受けて、ホースに過大な引張力がかかるのを抑止し、ホースが切断されるのを防止する。
【０００５】
【発明の実施の形態】
以下本発明の一実施例を図面に基づいて説明する。
図１、２は本発明に係る止水装置及び止水装置用バッグの使用状態を示す図、図３、４は止水装置用バッグの部分拡大図である。
【０００６】
本発明の止水装置用バッグ１の基本的構造としては、図１〜４に示す様に、バッグ主体２の取付口部３に可撓性を有するホース４の一端を接続すると共に、該ホース４内にロープ５を遊挿し、該ロープ５の両端部を、ホース４の両端部に当接、固定するか、或いはホース４が伸長した状態でホース４の両端部に当接、固定される様に成っている。
具体的には、ロープ５の両端部に、ホース４内と外部を連通する気道６、6aを設けたストッパー７、８を設け、該ストッパー７、８がホース４の両端部に係止される様に成っている。
ストッパー７、８の第１の実施例としては、図３〜６に示す様に、筒状のストッパー本体９、10と、該ストッパー本体９、10とホース４間に介設した、座金11、11a …、12、12a …とにより構成されている。
又、座金11、11a …、12、12a …のうち少なくとも１個（図面上、座金11a 、12a ）に、孔部より外周に至るスリット13、14を設けて、該スリット13、14及び座金11、11a …、12、12a …の中央孔をストッパー７、８の気道６、6aとしている。
上記実施例では、スリット13、１4 を設けた座金11a 、12a を示したが、気道を確保するための座金はこれに限定されず、図７（ａ）〜（ｃ）に示す様に、半径方向に溝15を設けた座金16、外周面から内周面に渡って貫通孔17を穿設した座金18、或いは、波形板状の座金19であっても良い。
【０００７】
又、各ストッパー７、８の第２の実施例としては、図８、９に示す様に、断面外形を優弧状とし、その平坦面20によりホース４を若干開口させて、かかる開口部を気道６、6aとしている。
又、各ストッパー７、８の第３の実施例としては、図１０、１１に示す様に、円筒状に形成すると共に、その母線上に気道６、6aとして溝21を設けている。
【０００８】
又、図４に示す様に、ホース４の止水装置本体Ｗとの接続側における端部にはスリーブ22が挿嵌され、該スリーブ22は、ホース４内へ挿嵌する挿嵌部23と、内径がストッパー７の外径より大きいガイド部24とを一体形成したものであり、該ガイド部24の外周に、止水装置本体Ｗ側への接続用ナット25を螺嵌している。
そして、一方のストッパー７は筒状のガイド部24内に収容され、スリーブ22のガイド部24のテーパー面状の底部26、即ち挿嵌部23の外端面に当接、係止されている。
【０００９】
又、図３に示す様に、ホース４のバッグ主体２との接続側における端部にスリーブ28が挿嵌され、該スリーブ28のホース４からの突出端部に、内径がストッパー８の外径より大きな筒状のガイド部29を設けている。
そして、他方のストッパー８はガイド部29内に収容され、スリーブ28における突出端部に当接、係止されている。
【００１０】
又、第１の実施例のストッパー７、８における座金11、11a …、12、12a …の外径は、ガイド部24、29の内径より小径としている。
【００１１】
又、図１２に示す様に、バッグ主体２内のロープ５におけるストッパー８からの突出部にキャップ32を冠着するのが望ましい。
更に、バッグ主体２内のロープ５のストッパー８を含む先端部を、カバー30で被覆すると共に、該カバー30をスリーブ28におけるガイド部29に接着、固定して、ロープ５の先端部をホース４の一端側に固定しても良い。
具体的には、バッグ主体２内のロープ５の先端部にキャップ32を冠着し、該キャップ32、ストッパー本体10及びガイド部29をカバー30で一体的に覆い、カバー30に空気抜孔30a を設け、該空気抜孔30a によりガイド部29とストッパー本体10間の隙間とバッグ主体２内を連通させている。
この止水装置用バッグ１は、バッグ主体２内に突出状態のホース４の一端部全体がカバー30で被覆されているため、畳んだ状態のバッグ主体２を圧力の高い管路Ｐ内に配設する際、ホース４の一端部でバッグ主体２が損傷することを防止する。
【００１２】
又、図４に示す様に、ホース４の他端側（スリーブ22の挿嵌位置）の外周に外嵌固定した口金33にホース折曲防止管34が外嵌され、該ホース折曲防止管34は、被着筒部35とこれより厚肉のラッパ管状部36とを一体形成したものであり、被着筒部35が口金33に外嵌固定され、又ラッパ管状部36の先端部の内周面を外側に向かう緩やかな内曲面37に成形している。
このホース折曲防止管34は、止水装置用バッグ１使用時に、管路Ｐ内の下流側に引張られるホース４をラッパ管状部36の内曲面37に沿って緩やかに曲げ、ホース４が急激に曲がるのを防止する。
【００１３】
又、ホース４内におけるスリーブ22、28間にコイルスプリング38を配設している。
【００１４】
又、止水装置用バッグ１を構成するホース４、ロープ５及びストッパー７、８の材質としては、例えば、ホース４は可撓性を有するゴム、合成繊維等が、ロープ５は鋼鉄、テンレス、銅、アルミニウム等から成るワイヤー、合成繊維等が、ストッパー７、８は鉄、アルミニウム、アルミニウム合金等の金属類、プラスチック等の非金属類等が挙げられる。
又、ロープ５へのストッパー７、８の取付方法は、組合わせる夫々の材質を考慮して、カシメ、溶接、ロウ付、接着等の方法から適宜選択すれば良い。
【００１５】
又、ストッパー７、８は、未使用時にはガイド部24、29に対し係止状態でなく、ホース４が伸長した場合に係止する様な構造であっても良く、この場合は、例えば、先ずホース４のバッグ主体２との接続側においてロープ５の端部にストッパー８を取付け、次にストッパー８をスリーブ28の突出端部に係止させ、しかる後、図１３に示す様に、ロープ５の他端部をガイド部24から突出させた状態であればロープ５の端部にストッパー７を取付可能なため、ストッパー７、８のロープ５への取付作業が容易になる。
又、この止水装置用バッグ１は、使用時に先ずホース４が伸長し、しかる後ストッパー７、８がガイド部24、29に係止されるため、ホース４に引張力の一部はかかるが、ストッパー７、８の係止、固定後は、ロープ５に引張力がかかるため、ホース４に過大な引張力がかからない。
【００１６】
次に本発明の止水装置用バッグの作用について説明する。
本例の止水装置用バッグ１によれば、止水装置本体Ｗの送気装置Ｘからの空気は、図５に示す様に、スリーブ22のガイド部24とストッパー本体９の隙間、ガイド部24と座金11の隙間、座金11a に設けたスリット13、座金11b とロープ５の隙間を順次通過して、ホース４とロープ５間の隙間に至り、更に、ホース４とバッグ主体２の接続側においても、スリーブ22側と同様に各部材間の隙間を順次通過してバッグ主体２内に送入される。
止水装置用バッグ１使用時には、この様に空気が送入されて、バッグ主体２が徐々に膨張し、最終的にバッグ主体２が管路Ｐの内周面に密着して、管路Ｐ内の流体を遮断し、バッグ主体２は受ける水圧の増大により、管路Ｐの下流側に強く引張られるが、かかる引張力は、ホース４両端のスリーブ22、28、座金11、11a …、座金12、12a …、ストッパー本体９、10を介して、ロープ５の両端部に作用するため、ホース４自体に過大な引張力がかからない。
又、スリーブ22（ガイド部24）の先端部からバッグ主体２内に至る気道が確保されているため、バッグ主体２の膨張後も、送気圧を保持して、バッグ主体２の膨張状態を維持可能にする。
【００１７】
又、ホース４両端部にスリーブ22、28を挿嵌することにより、スリーブ22、28でホース４両端部にかかる引張力を受けて、ホース４両端の開口部の変形を防止する。
又、スリーブ22及びスリーブ28のホース４からの突出端部に、内径がストッパー７、８の外径より大きな筒状のガイド部24、29を設けることにより、ストッパー７、８の位置ズレを防止すると共に、ガイド部24とストッパー７、ガイド部29とストッパー８の間に隙間を夫々設けて気道を確保する。
【００１８】
【発明の効果】
要するに本発明は、止水装置用バッグ主体２の取付口部３に接続した可撓性を有するホース４内にロープ５を遊挿し、該ロープ５の両端部にホース４の両端部に係止可能なストッパー７、８を設けたので、管路Ｐ内の水圧による強い引張力をロープ５で受けることが出来るため、ホース４自体に過大な引張力がかかるのを抑止出来、よって、ホース４の切断を防止することが出来る。
又、ストッパー７、８に気道６、6aを設けたので、使用時にストッパー７、８よりホース４が閉鎖されてしまったとしても、気道６、6aを通過させてバッグ主体２内に空気を送入して、バッグ主体２を膨張させることが出来、而も、バッグ主体２膨張後も送気圧を保持して、バッグ主体２の膨張状態を維持することが出来るため、首尾良く、確実に管路Ｐ内の流体を遮断することが出来る。
よって、本発明に係る止水装置用バッグ１を取付けた止水装置本体Ｗを水道管の２箇所に設置すれば、その間への水流入を完全に防止することが出来、水道管の部分的な交換に最大の効力を発揮させることが出来る。
【００１９】
又、ホース４両端部にスリーブ22、28を挿嵌したので、該スリーブ22、28でホース４両端部にかかる引張力を受けることが出来るため、ストッパー７、８によるホース４両端の開口部の変形を防止することが出来、よってホース４自体への負担を最小限に抑えることか出来る。
又、スリーブ22、28のホース４からの突出端部に内径がストッパー７、８の外径より大きいガイド部24、29を設け、該ガイド部24、29にストッパー７、８を収容可能にしたので、ガイド部24、29によって、ストッパー７、８の位置ズレを防止することが出来、而もガイド部24、ガイド部29の内径がストッパー７、８の外径より大きいため、ガイド部24とストッパー７、ガイド部29とストッパー８の間に隙間を設けて気道を確保することが出来る。
従って、これらのことが相俟って、スリーブ22の先端からバッグ主体２内に至る空気の流通を確実なものとすることが出来る。
【００２０】
又、バッグ主体２内のロープ５の先端側をカバー30で被覆すると共に、該カバー30をホース４の一端側に固定したので、バッグ主体２内に突出状態のホース４の一端部全体がカバー30で被覆されているため、畳んだ状態のバッグ主体２を圧力の高い管路Ｐ内に配設する際、ホース４の一端部でバッグ主体２が損傷することを防止することが出来る。
又、カバー30にストッパー８の気道6aとバッグ主体２内を連通させる空気抜孔30a を設けたので、空気抜孔30a を通して空気をバッグ主体２内に送入することが出来る。
【００２１】
又、ホース４にコイルスプリング38を配設したので、張力のかかったロープ５がホース４に局部的に接触するのを防止して、ホース４の損傷を防止することが出来る等その実用的効果甚だ大である。
【図面の簡単な説明】
【図１】本発明に係る止水装置の使用状態を示す一部破断した斜視図である。
【図２】管路における止水装置用バッグの使用状態を示す断面図である。
【図３】バッグ主体とホースの接続部周辺の部分拡大断面図である。
【図４】止水装置用バッグと止水装置本体の接続部周辺の使用時の部分拡大断面図である。
【図５】第１実施例のストッパーを設けたホースの使用状態を示す拡大断面図である。
【図６】座金の斜視図である。
【図７】座金の他の実施例を示す斜視図である。
【図８】第２実施例のストッパーを設けたホースの使用状態を示す一方向断面図である。
【図９】第２実施例のストッパーを設けたホースの使用状態を示す他方向断面図である。
【図１０】第３実施例のストッパーを設けたホースの使用状態を示す一方向断面図である。
【図１１】第３実施例のストッパーを設けたホースの使用状態を示す他方向断面図である。
【図１２】バッグ主体側のロープ端部にカバーを設けたホースの部分拡大断面図である。
【図１３】止水装置用バッグと止水装置本体の接続部周辺の未使用時の部分拡大断面図である。
【図１４】従来の止水装置用バッグの使用状態を示す断面図である。
【符号の説明】
１      止水装置用バッグ
２      バッグ主体
３      取付口部
４      ホース
５      ロープ
６、6a  気道
７、８  ストッパー
22      スリーブ
24      ガイド部
28      スリーブ
29      ガイド部
30      カバー
30a     空気抜孔
38      コイルスプリング
【図１】
0004361185.tif 000002
【図２】
0004361185.tif 000003
【図３】
0004361185.tif 000004
【図４】
0004361185.tif 000005
【図５】
0004361185.tif 000006
【図６】
0004361185.tif 000007
【図７】
0004361185.tif 000008
【図８】
0004361185.tif 000009
【図９】
0004361185.tif 000010
【図１０】
0004361185.tif 000011
【図１１】
0004361185.tif 000012
【図１２】
0004361185.tif 000013
【図１３】
0004361185.tif 000014
【図１４】
0004361185.tif 000015